(57)【要約】【課題】  把持する力が弱い者でも容易に開閉することができるボトル用キャップを提供することを目的とする。【解決手段】  ボトル２の口部４に螺着されるボトル用キャップ３において、側周部８が軟弾性摩擦材で構成されている。【選択図】  図２
2005082153.tif 000002
【特許請求の範囲】
【請求項１】
ボトルの口部に螺着されるボトル用キャップにおいて、側周部が軟弾性摩擦材で構成されていることを特徴とするボトル用キャップ。
【請求項２】
ボトル用キャップを、硬質性材料のキャップ本体と、キャップ本体の側周部に相対回転不可に結合されるリング体とで構成し、リング体が軟弾性摩擦材からなる請求項１記載のボトル用キャップ。
【請求項３】
キャップの側周部にほぼ縦方向の切溝を多数本設け、各切溝によってキャップの側周部を多数の分割部分に分割し、キャップの開口方向の回転時に、各分割部分の回転方向の後側部が隣接する分割部分の回転方向の前側部に対し突出するように構成した請求項１または２に記載のボトル用キャップ。
【発明の詳細な説明】
【技術分野】
【０００１】
本発明は、ペットボトルなどのボトルの口部に螺着されるボトル用キャップに関するものである。
【背景技術】
【０００２】
一般に清涼飲料水などを収納する容器としてペットボトルが用いられ、その開閉手段として、ボトルの口部に螺着されるボトル用キャップが多用されている。そしてボトル用キャップは、開閉を容易にするために、キャップ側周部の外面に縦溝が平行に複数設けられていた。さらには、キャップ外側に斜めの凹凸溝を施したキャップも提案されている（例えば、特許文献１参照。）。
【特許文献１】実用新案登録第３０９０８５２号公報
【発明の開示】
【発明が解決しようとする課題】
【０００３】
しかしながら、従来のキャップ側面に設けられた縦溝等だけでは、子供、老人、手首を痛めている者すなわち把持する力が弱い者にとって容易に開閉できないのが現状である。特に自動販売機や冷蔵庫で冷却されて、ボトルとキャップとの温度膨張率の差により固く締まった場合、開閉が困難であるという問題点があった。
【０００４】
本発明は、上記問題点に鑑み、把持する力が弱い者でも容易に開閉することができるボトル用キャップを提供することを目的とする。
【課題を解決するための手段】
【０００５】
本発明は上記目的を達成するため、ボトルの口部に螺着されるボトル用キャップにおいて、側周部が軟弾性摩擦材で構成されていることを特徴とする。
【０００６】
本発明によれば、キャップの側周部が軟弾性摩擦材で構成されているため、開口時にキャップの外周部を、指と共に所定回転位置まで確実に回転させることができ、その際の回転力がゴム弾性によりキャップ外周部から内部に時間と共に伝わり、さらに前記回転位置から開口方向に力を加えることによって、キャップを容易に開口させることができる。すなわちキャップを把持する力が弱い者でも当初にキャップ外周部を十分な角度で確実に回転させることができ、その際のキャップ内部に伝わる回転力の助けを借りて、従来開口することが困難なキャップに対して、その開口操作を容易に行うことができるのである。
【０００７】
前記ボトル用キャップを、硬質性材料のキャップ本体と、キャップ本体の側周部に相対回転不可に結合されるリング体とで構成し、リング体が軟弾性摩擦材からなるように構成すると好適である。この場合前記キャップ本体として従来のキャップをそのまま用いることが可能である。
【０００８】
また、キャップの側周部にほぼ縦方向の切溝を多数本設け、各切溝によってキャップの側周部を多数の分割部分に分割し、キャップの開口方向の回転時に、各分割部分の回転方向の後側部が隣接する分割部分の回転方向の前側部に対し突出するように構成すると好適である。これによりキャップを開口するために回転させた際に、キャップを把持して回転方向に力を加えると、その接触面が弾性変形して突出部が起立し、その突出部に指が係合してよりいっそう回転力が伝えやすくなる。
【発明の効果】
【０００９】
本発明によれば、子供、老人、手首を痛めている者など把持する力が弱い者でも容易にキャップを開閉でき、特に自動販売機や冷蔵庫で冷却されて、ボトルとキャップとの温度膨張率の差により固く締まった場合でも開閉が容易であるボトル用キャップを提供することができる。
【発明を実施するための最良の形態】
【００１０】
以下に本発明の実施形態を図１〜図３に基づいて詳細に説明する。
【００１１】
本実施形態は、図１、図２に示すように、ペットボトル飲料容器１などのボトル２の口部４に螺着されるボトル用キャップ３であって、前記口部４の開閉手段として用いられている。
【００１２】
前記ボトル２は、図２に示すように、上端に口部４が形成され、口部４の外周にはボトル用キャップ３を螺着させるためのねじ山５が形成されている。
【００１３】
前記ボトル用キャップ３は、図２に示すように、キャップ本体１１と、キャップ本体１１の側周部７に相対回転不可に嵌合しているリング体８とから構成されている。
【００１４】
キャップ本体１１は、硬質樹脂により形成され、その側周部７の外面に縦溝６が平行に多数設けられ、内面に前記ボトル２のねじ山５に螺合し得る被ねじ山（図示せず）が形成されている。前記縦溝６により、ボトル用キャップ３をボトル２から開口するために回転させる際に、キャップ本体１１とリング体８との摩擦抵抗を高め、両者が一体回転するようにしている。
【００１５】
リング体８は、その内径が前記キャップ本体１１の径とほぼ同一径に形成された合成ゴム（軟弾性摩擦材）である。またリング体８の帯幅はキャップ本体１１の高さより若干小となるように形成され、厚みは約２〜４ｍｍに形成されている。リング体８をキャップ本体１１の側周部７に嵌合させると、図１に示すように、ボトル用キャップ３の側周部１７が軟弾性摩擦材で構成されることになる。そして、リング体８すなわちキャップ３の側周部１７が軟弾性摩擦材で構成されているため、把持する力が弱い者でも当初にキャップ３の外周部を十分な角度で確実に回転させることができ、その際キャップ内部に伝わる回転力の助けを借りて、キャップ３を開口することができるので、従来開口することが困難なキャップに対して、その開口操作を容易に行うことができる。
【００１６】
また図２に示す９は、リング体８の外面に形成された切溝である。切溝９は、図２に示すように、リング体８の上端１３から下端１４に向けて形成された溝であって、その下端側はボトル用キャップ３を開口させる回転方向（矢印Ａ）の前側にオフセットするように彎曲している。
【００１７】
さらに切溝９は、図３（ａ）に示すように、所定深さの溝であって、その溝先端が、ボトル用キャップ３を開する回転方向（矢印Ａ）の前側となるように斜めに形成されている。そして、リング体８を前記切溝９により分割し、キャップ３の開口方向の回転時に、図３（ｂ）に示すように、各分割部分の回転方向の後側部１０が隣接する分割部分の回転方向の前側部に対し突出する。これはボトル用キャップ３を開する際に、キャップ３を把持して力を加えると、その接触面が弾性変形して突出部１０が起立し、その突出部１０に指が係合してよりいっそう回転力が伝えやすくなる。
【００１８】
本発明のボトル用キャップ３は、上記実施形態に限らず、種々の形態に構成することができる。
【００１９】
例えば、上記実施形態は、ボトル用キャップ３をキャップ本体１１とリング体８とから構成していたが、キャップ全体を合成樹脂で一体形成し、外周部を軟弾性および高摩擦性を有するようにし、内周部を硬質なものとなるように形成してもよい。
【００２０】
また上記実施形態は、軟弾性摩擦材の具体例を合成ゴムで説明したが、摩擦係数を高めるためにセラミック粒子などを混入したり、外周面に凹凸処理を施したものを用いたり、あるいは摩擦係数の大きな軟質合成樹脂や天然ゴムを用いてもよい。
【産業上の利用可能性】
【００２１】
本発明は、広く普及し、日常多用されるペットボトルなどに適用できるもので、把持する力が弱い者でもキャップを容易に開閉することができる。
【図面の簡単な説明】
【００２２】
【図１】本発明の実施形態の飲料容器を示す正面図である。
【図２】本実施形態のボトル用キャップを示す斜視図である。
【図３】リング体の要部を拡大して示す横断平面図であり、（ａ）は通常時の状態を示す図、（ｂ）はキャップを開口するときの状態を示す図である。
【符号の説明】
【００２３】
２  ボトル
３  ボトル用キャップ
４  口部
７  側周部
８  リング体
９  切溝
１０  突出部
【図１】
2005082153.tif 000003
【図２】
2005082153.tif 000004
【図３】
2005082153.tif 000005